(57)【要約】【課題】  切除により残された巻紙の切り残し前端部が、常時、揺動蓋体及び少なくとも揺動蓋体の刃部の外（前方側）に露出状態に置かれる巻紙保持装置の提供。【解決手段】  本発明は、水平且つ軸回転自在に保持された巻紙の外周面に接離自在に前方端側が乗せられ後方端側が装置本体に回動自在に支承された揺動蓋体を備え、引き出された巻紙の紙が前記揺動蓋体に設けられた刃部で切除される巻紙保持装置において、前記揺動蓋体の刃部は、前記揺動蓋体によって当該揺動蓋体の前後方向に摺動自在に保持され、常時は、前記揺動蓋体の後方に移動するよう付勢され、使用時には、前記刃部が前方に移動されて使用され、使用後は自動的に後方に移動する構成としたことを特徴とする。【選択図】        図２
2010099115.tif 000002
【特許請求の範囲】
【請求項１】
水平且つ軸回転自在に保持された巻紙の外周面に接離自在に前方端側が乗せられ後方端側が装置本体に回動自在に支承された揺動蓋体を備え、引き出された巻紙の紙が前記揺動蓋体に設けられた刃部で切除される巻紙保持装置において、
前記揺動蓋体の刃部は、前記揺動蓋体によって当該揺動蓋体の前後方向に摺動自在に保持され、常時は、前記揺動蓋体の後方に移動するよう付勢され、使用時には、前記刃部が前方に移動されて使用され、使用後は自動的に後方に移動する構成としたことを特徴とする巻紙保持装置。
【請求項２】
刃部は揺動蓋体とは別体に形成された刃部支持体に設けられ、前記刃部支持体は前記揺動蓋体に設けられた移動ガイド部に摺動自在に組み付けられたことを特徴とする請求項１の巻紙保持装置。
【請求項３】
刃部を常時後方へ付勢する付勢手段は、前記刃部と揺動蓋体との間に介在されたばねであることを特徴とする請求項１又は請求項２に記載の巻紙保持装置。
【請求項４】
揺動蓋体は、常時には、刃部が巻紙の上方に離された状態に保ち、切除時には外力で容易に巻紙に当接可能な緩衝手段を備えたことを特徴とする請求項１乃至請求項３の何れかに記載の巻紙保持装置。
【請求項５】
緩衝手段は、揺動蓋体から延在して巻紙の上面側に先端が当接する緩衝手段であることを特徴とする請求項４に記載の巻紙保持装置。
【請求項６】
緩衝手段は、巻紙の幅方向に線接触する緩衝手段であることを特徴とする請求項５に記載の巻紙保持装置。
【請求項７】
緩衝手段の先端は、巻紙の外周曲面と背反する曲面であることを特徴とする請求項４乃至請求項６の何れかに記載の巻紙保持装置。
【請求項８】
筒状空芯を巻き軸とする巻紙を水平に保持する巻紙支持手段は、前記筒状空芯の両端側から当該空芯内に進退自在に進入する支持部材であって、前記該支持部材は、水平方向の両縁側が各々前記筒状空芯の内周面に当接することを特徴とする請求項１乃至請求項７の何れかに記載の巻紙保持装置。
【請求項９】
支持部材は板状部材であることを特徴とする請求項８に記載の巻紙保持装置。
【請求項１０】
巻紙保持装置はトイレットペイパー保持装置であることを特徴とする請求項１乃至請求項９の何れかに記載の巻紙保持装置。
【発明の詳細な説明】
【技術分野】
【０００１】
本発明は、ロール状に巻かれた巻紙例えばトイレットペイパー等を水平且つ軸回転自在に保持すると共に、前記巻紙の外周面の上に接離自在に前方端側が乗せられ後方端側が装置本体に回動自在に支承された揺動蓋体を備え、引き出された巻紙の紙が前記揺動蓋体に設けられた刃部で切除される、例えばトイレットペイパー保持装置等の巻紙保持装置に関する。
【背景技術】
【０００２】
従来の、例えば、トイレットペイパー保持装置は、水平に保持された巻紙の上方から当該巻紙の上面側に切除用の刃部としての押さえ刃が自重の落下で接するよう、当該押さえ刃を備えた揺動蓋体が単にその自重で落とされるように載せられており、巻紙残量の減少によって刃部（押さえ刃）が巻軸方向へ自然と降下するよう揺動自在に設けられていた。
【０００３】
巻紙の装着脱の際には、一方の手で揺動蓋体を片開き状態に跳ね上げて他方の手で巻紙を装着脱し、巻紙を使用する際には、一方の手で揺動蓋体を軽く巻紙から浮かせた状態にして、他方の手で揺動蓋体の下方に位置する紙の前端側を摘んで適当長さ前方に引き出し、引き出した状態で、浮かせていた揺動蓋体を巻紙の上面に押さえ着け、押さえつけた状態で紙を引いて切除する構造であった。
【０００４】
このような従来装置では、切り残された巻紙の切り残し前端部（次の使用時において摘まれる部位）は、必然的に刃部の後方（巻取り方向側）即ち刃部の内側に残されたままとなり、巻紙の上面側を覆う揺動蓋体に覆われた状態となって、巻紙の前端部を摘み出す手掛かりが無くなつてしまう。
【０００５】
従って、必然的に、次の使用の際には、一方の手で揺動蓋体を軽く巻紙から浮かせた状態にして、他方の手で揺動蓋体の下方に位置する紙の前端側を摘んで適当長さ前方に引き出し、引き出した状態で、浮かせていた揺動蓋体を巻紙の上面に押さえ着け、押さえつけた状態で紙を引いて切除せねばならず、巻紙を引き出す際には両手の使用が不可欠で、片手だけでは不可能であった。
【発明の開示】
【発明が解決しようとする課題】
【０００６】
本発明は、切除された巻紙の切り残し前端部が刃部の内側に残されて揺動蓋体に覆われたままの状態となり、次に使用する際には、巻紙の切り残し前端部を摘み出すことができないという不都合の解消を目的としてなされたもので、切除により残された巻紙の切り残し前端部が、常時、揺動蓋体及び少なくとも揺動蓋体の刃部の外（前方側）に露出状態に置かれる巻紙保持装置の提供を目的とする。
【課題を解決するための手段】
【０００７】
請求項１の発明は、水平且つ軸回転自在に保持された巻紙の外周面の上に接離自在に前方端側が乗せられ後方端側が装置本体に回動自在に支承された揺動蓋体を備え、引き出された巻紙の紙が前記揺動蓋体に設けられた刃部で切除される巻紙保持装置において、前記揺動蓋体の刃部は、前記揺動蓋体によって当該揺動蓋体の前後方向に摺動自在に保持され、常時、前記揺動蓋体の後方に摺動するよう付勢されたことを特徴とする。
【０００８】
請求項２の発明は、請求項１の巻紙保持装置において、刃部は揺動蓋体とは別体に形成された刃部支持体に設けられ、前記刃部支持体は前記揺動蓋体に設けられた移動ガイド部に摺動自在に組み付けられたことを特徴とする。
【０００９】
請求項３の発明は、請求項１又は請求項２に記載の巻紙保持装置において、刃部を常時後方へ付勢する付勢手段は、前記刃部と揺動蓋体との間に介在されたばねであることを特徴とする。
【００１０】
請求項４の発明は、請求項１乃至請求項３の何れかに記載の巻紙保持装置において、揺動蓋体は、常時には、刃部が巻紙の上方に離された状態に保ち、切除時には外力で容易に巻紙に当接可能な緩衝手段を備えたことを特徴とする。
【００１１】
請求項５の発明は、請求項４に記載の巻紙保持装置において、緩衝手段は、揺動蓋体から延在して巻紙の上面側に先端が当接する緩衝手段であることを特徴とする。
【００１２】
請求項６の発明は、請求項５に記載の巻紙保持装置において、緩衝手段は、巻紙の幅方向に線接触する板状の緩衝手段であることを特徴とする。
【００１３】
請求項７の発明は、請求項４乃至請求項６の何れかに記載の巻紙保持装置において、緩衝手段の先端は、巻紙の外周曲面と背反する曲面としたことを特徴とする。
【００１４】
請求項８の発明は、請求項１乃至請求項７の何れかに記載の巻紙保持装置において、筒状空芯を巻き軸とする巻紙を水平に保持する巻紙支持手段は、前記筒状空芯の両端側から当該空芯内に進退自在に進入する支持部材であって、前記該支持部材は、水平方向の両縁側が各々前記筒状空芯の内周面に当接することを特徴とする。
【００１５】
請求項９の発明は、請求項８に記載の巻紙保持装置において、支持部材は板状部材であることを特徴とする。
【００１６】
請求項１０の発明は、請求項１乃至請求項９の何れかに記載の巻紙保持装置において、巻紙保持装置はトイレットペイパー保持装置であることを特徴とする。
【発明の効果】
【００１７】
請求項１乃至請求項１０の各発明によれば、何れも、切除により残された巻紙の切り残し前端部が、常時、揺動蓋体及び少なくとも揺動蓋体の刃部の外（前方側）に露出した状態に置かれるので、次に使用する際に、巻紙の切り残し前端部を片手で容易に摘み出すことができる。
【００１８】
請求項２の発明によれば、刃部は、当該刃部が形成される刃部支持体を備えて揺動蓋体とは別体に構成されるので、揺動蓋体に対して比較的容易に摺動自在な構成とすることができる。
【００１９】
請求項３の発明によれば、付勢手段は、比較的容易に入手でき、且つ安価な用材で付勢手段を構成することができる。
【００２０】
請求項４の発明によれば、刃部が巻紙に直接接しておらず緩衝手段を介して接しさせているので、刃部と巻紙との間隙を巻紙の前端部を摘み易い程度の間隔に、当該緩衝手段を介して、容易に設定することができる。
【００２１】
請求項５の発明によれば、緩衝手段は緩衝手段で構成してあるので、切除の際には、弾性による反発力に抗して、比較的容易に刃部を巻紙に押し当てることができる。
【００２２】
請求項６の発明によれば、緩衝手段は巻紙の幅方向に線接触するので、巻紙の前端部に紙の乱れを生じさせず、整然とした姿で当該前端部を押さえることができる。
【００２３】
請求項７の発明によれば、巻紙の前端部を引き出す際に、巻紙に当接する緩衝部材の先端が巻紙の丸みに背反した曲面としてあるので、円滑に前端部を引き出すことができ、巻紙の軸回転の支障とならず、円滑に回転させることができる。
【００２４】
請求項８の発明によれば、軸方向に水平に巻紙支持手段で保持される巻紙は、筒状空芯の内周面において水平方向の相対する２つの水平ラインが接線となって支持されるので、巻紙の前端部が引き出される際の巻紙の回転にブレを生じ難くし、巻紙をその軸心を中心にして安定に回転させることができると共に、回転しない静止時における巻紙の軸心位置を一定に保つことができ、巻紙を安定支持することができる。
【００２５】
請求項９の発明によれば、板状の支持部材を用いることによって、筒状空芯の内周面の水平方向の相対する２つの水平ラインの接線を比較的容易に得ることができ、構造簡易にして円滑且つ安定的に回転させる巻紙の支持装置を提供することができる。
【００２６】
請求項１０の発明によれば、本発明の巻紙保持装置をトイレットペイパー保持装置に適用することにより、従来に較べて、巻紙の前端部が常時露出され、片手だけを使って当該前端部を摘んで引き出し易いトイレットペイパー保持装置を提供することができる。
【発明を実施するための最良の形態】
【００２７】
以下、本発明を実施するための最良の形態をトイレットペイパー保持装置の実施例１に基づいて説明する。
図１は図２のＡ−Ａ線部断面説明図、図２はトイレットペイパー保持装置の平面図、図３は揺動蓋体の上部構造を切り描いたトイレットペイパー保持装置の一部切欠平面図である。
【実施例】
【００２８】
図１乃至図３において、実施例１に示す巻紙保持装置の一例としてのトイレットペイパー保持装置１は、壁面に当接される壁面固定板２１とこの壁面固定板２１の両端側から各々前方（図１及び図２において右方向）に突出する支持腕２２，２２とで平面図において略コ字形に設けられた装置本体２と、
前記装置本体２の両支持腕２２，２２に両端が支持されて水平且つ軸回転自在に保持されたトイレットペイパーとしての巻紙３と、
前記巻紙３の上方側の外周面に、前方端側４１が接離自在に乗せられて後方端側４２が前記装置本体２の壁面固定板２１側であって前記両支持腕２２，２２の後方側に回動自在に支承された揺動蓋体４とを備えており、
使用の際には、前方に引き出された巻紙３の紙（図示せず）が前記揺動蓋体４に設けられた刃部５で切除されるよう構成されている。
この刃部５は、揺動蓋体４とは別体に形成された刃部支持体５１の前方端側に設けられている。
【００２９】
刃部支持体５１は、当該刃部支持体５１に設けられた移動ガイド部５２、５２と当該移動ガイド部５２、５２に各々嵌入されるように揺動蓋体４に設けられた係合突起４３，４３とに規制されて、揺動蓋体４の前後方向（図において左右方向）に摺動自在に組み付けられて、当該揺動蓋体４に保持されている。
図３において、移動ガイド部５２、５２は揺動蓋体４の前後方向に形成されたスリットであり、揺動蓋体４の係合突起４３，４３が当該スリット５２，５２に摺動自在に嵌合されている。
【００３０】
刃部５は、常時は、揺動蓋体４の後方すなわち移動ガイド部としてのスリット５２、５２の後端側（図３において右方向）に移動して停止するように、図３に示す付勢手段６によって常時付勢されている。
他方、刃部５の使用時には、使用者が刃部５の摘み凸部５３を摘まんで、図３において仮想線で示すように、刃部５を前方即ち移動ガイド部５２、５２の前方端側（図３において左側）に引き出すよう移動させて用いる。
使用後は刃部５の摘み凸部５３を手を離せば、図３の付勢手段６の作用によって自動的に後方に移動して、図３において実線で示すよう元に復帰する。
【００３１】
刃部５を常時後方へ付勢する付勢手段６は、この実施例では、刃部５の刃部支持体５１と揺動蓋体４との間に介在されたばねであるが、これに限らず、この種の構造に用いられる他の適当な周知手段を用いてもよい。
実施例の付勢手段としてのばねはコイルばね６を用いており、コイルばね６は、揺動蓋体４の内部に納められ、そのコイルばね６の後端側が揺動蓋体４の適所に係止され、コイルばね６の前方端側が刃部支持体５１の適所に掛止されている。
【００３２】
図１において、揺動蓋体４は、常時には、刃部５が巻紙３の上方に紙とは離された状態に保持され、使用時には巻紙３の外周面に当接可能な緩衝手段７を備えている。
巻紙３の端から引き出された紙を切除する切除時即ち使用時には、使用者が手で刃部５或いはその摘み凸部５３を押える外力で、緩衝手段７の反発力（弾発力）に抗して、刃部５を巻紙３に押し付けた状態のままで、引き出された巻紙３の紙を刃部５から引き放すように引っ張ることで、容易に切除できる。
【００３３】
実施例の緩衝手段７は、揺動蓋体４の前方端側の下部から斜め前方寄りに延在し、下方に位置する巻紙３の外周曲面に、常時、当該緩衝手段７の先端部７１側の一部が達して接するように、弾性部材を用いて設けられている。
図示の弾性部材（緩衝手段７）は、巻紙３の外周曲面の幅方向に先端部７１側の一部が線接触するよう板状の部材（板状部材）で形成されている。
緩衝手段７としての板状部材の先端部７１側は、図１に示すように、巻紙３の外周曲面と背反する曲面に形成されており、引き出される巻紙３の紙が当該先端部７１に引っ掛かることなく円滑に引き出されるよう工夫されている。
【００３４】
本装置１に用いられる巻紙３は、例えば、図１に示すように、筒状空芯を巻き軸３１とする巻紙３が適当であり、後述する巻紙支持手段８、８にて、図２に示すよう、巻紙３の巻き軸３１の両端側から回動自在にして水平に保持される。
実施例の巻紙支持手段８は、巻き軸３１即ち筒状空芯の両端側から当該空芯内に進退自在に進入する板状の支持部材８１を有し、この支持部材８１は、水平方向の両縁側が各々筒状空芯の内周面に当接する形状としてある。
【００３５】
更に、この巻紙支持手段８には、図３に示すように、水平な板状の支持部材８１の上面側中央の巻き軸３１の延在方向に突条部８２を設け、この突条部８２の峰が空芯内の内周面の上方に線接触するように形成してあり、水平な板状の支持部材８１の両縁側が空芯内の内周面の水平方向左右に線接触することと相俟って、巻き軸３１の内周面を断面において３点で支持する３点支持構造、即ち、支持部材８１の断面を略凸形状とすることにより、巻紙３の安定支持と巻紙３の円滑な回転を確保させている。
【００３６】
尚、実施例の巻紙支持手段８の支持部材８１、８１は、何れも先端側が、水平状態から上方への傾斜状態となるよう傾動自在に構成されており、常時は、水平状態を維持するようにばね８３で付勢されており、巻紙３を交換する際には、使用済み巻き軸３１を垂直上方に持ち上げて外し、巻紙３を水平状態にして、垂直下方から上方へ上げて、支持部材８１、８１間に位置させると、巻き軸３１の両端側の支持部材８１、８１が空芯内に進入する構造となっている。
【産業上の利用可能性】
【００３７】
本発明の巻紙保持装置は、実施例に示すトイレットペイパー保持装置としてに限らず、広く巻紙を保持する装置として広く産業上利用することができる。
【図面の簡単な説明】
【００３８】
【図１】図２のＡ−Ａ線部断面説明図である。
【図２】トイレットペイパー保持装置の平面図である。
【図３】揺動蓋体の上部構造を切り描いたトイレットペイパー保持装置の一部切欠平面図である。
【符号の説明】
【００３９】
１    トイレットペイパー保持装置
２    装置本体
３    巻紙
３１  巻き軸（空芯）
４    揺動蓋体
４３  係合突起
５    刃部
５１  刃部支持体
５２  係合突起
５２  移動ガイド部（スリット）
６    付勢手段（コイルばね）
７    緩衝部材（板状部材）
８    巻紙支持手段
８１  支持部材
８２  突条部
【図１】
2010099115.tif 000003
【図２】
2010099115.tif 000004
【図３】
2010099115.tif 000005